(57)【要約】 【課題】いままでの構成に若干の変更を加えるだけでより一層の縮小化が図られる屈曲光学ユニットが実現する。【解決手段】第２のレンズ群１４を駆動する駆動軸であるリードスクリューＬＳ３と第１のレンズ群１２を光軸方向に案内するガイド軸Ｇ４とが一体的に形成された第１の軸１００と、第１のレンズ群１２を駆動する駆動軸であるリードスクリューＬＳ４と第２のレンズ群１２を光軸方向に案内するガイド軸Ｇ４とが一体的に形成された第２の軸１０１との双方を第２の光軸に沿って平行に、かつ端から端に渡す様に配設する。それらの軸の一端側に位置する、反射光学素子であるプリズム１１１の斜面で区画された空きスペースに２つのモータＭ３，Ｍ４を配設する。【選択図】図３
2007256601.tif 000002
【特許請求の範囲】
【請求項１】
前方に向かう第１の光軸に沿って入射してきた被写体光を該第１の光軸と交わる第２の光軸に沿う方向に反射する反射光学素子を含む複数のレンズ群を備え、該第２の光軸に沿って進んできた被写体光を所定の結像面上に結像させる屈曲光学ユニットにおいて、
前記第２の光軸に平行に延び、回転により、前記反射光学素子よりも前記結像面側に配備された複数のレンズ群のうちの第１のレンズ群および第２のレンズ群を該第２の光軸方向にそれぞれ移動させる第１の駆動軸および第２の駆動軸と、
前記反射光学素子の背後に配備された、前記第１の駆動軸および前記第２の駆動軸をそれぞれ回転駆動する、前記第２の光軸方向の寸法が互いに異なる第１のモータおよび第２のモータとを備えたことを特徴とする屈曲光学ユニット。
【請求項２】
前記反射光学素子の背面に、前記第２の光軸に対し斜めを向いた斜面で区画されたスペースを有し、
前記第１のモータと前記第２のモータのうちの前記第２の光軸方向の寸法が大きい方のモータが、前記スペースの、前記第２の光軸方向の寸法が広い側に配置されていることを特徴とする請求項１記載の屈曲光学ユニット。
【発明の詳細な説明】
【技術分野】
【０００１】
本発明は、前方に向かう第１の光軸に沿って入射してきた被写体光をその第１の光軸と交わる第２の光軸に沿う方向に反射する反射光学素子を含む複数のレンズ群を備え、その第２の光軸に沿って進んできた被写体光を所定の結像面上に結像させる屈曲光学ユニットに関する。
【背景技術】
【０００２】
撮影装置には、前方に向かう第１の光軸に沿って入射してきた被写体光を第１の光軸と直交する方向に延びる第２の光軸に沿う方向に反射して撮像素子上に結像させる屈曲光学系を備えたものがある。この屈曲光学系を用いるとカメラボディの薄型化を図ることができる。
【０００３】
この屈曲光学系の最大のメリットを引き出して薄型化を達成するためには、第１の光軸を持つ光学部材の数を減らして、できるだけ反射光学素子であるプリズムの出射面側にレンズ群を配置することが好ましい。特に屈曲光学系がズームレンズである場合には可動レンズ群をプリズムの出射面側に配置することができると、第１の光軸に沿って可動レンズ群を配設する必要がなくなり、屈曲光学系を使うメリットが最大限に引き出される（例えば特許文献１、２参照）。本出願人においては、薄型化を達成する屈曲光学系の組立技術に関して特願２００５−３０２８２号等を含めて数多くの提案がなされている。
【０００４】
また、どの程度のズーム倍率にするかを予め決めておいてそのズーム倍率を達成する可動レンズ群の移動範囲からボディの高さ方向の寸法を定めその寸法内に可動レンズ群および駆動部を詰め込むようにすると、薄型化に加えて第２の光軸方向の寸法の縮小化を図ることもできる。  
【０００５】
ここでズームレンズである屈曲光学系を備えた屈曲光学ユニットの一例を掲げて構成を説明する。
【０００６】
図１、図２は、ズームレンズである屈曲光学系を備えた屈曲光学ユニットを示す図である。
【０００７】
図１には、屈曲光学ユニット１０をやや斜め上方から見た斜視図が示されており、図２には図１の屈曲光学ユニット１０を正面から見た図が示されている。この図１、図２には前方に向かう第１の光軸ＯＰ１に沿って入射してきた被写体光をその第１の光軸ＯＰ１と交わる第２の光軸ＯＰ２に沿う方向に反射する反射光学素子であるプリズム１１１を含む複数のレンズ群１１〜１５を備えた屈曲光学系からなる屈曲光学ユニットが示されている。
【０００８】
この例においてはカメラボディの薄型化を図るために第１の光軸ＯＰ１側に第１レンズ群の中の対物レンズ１１０のみを配備してプリズム１１１以降に残りのレンズ群を配備する様にしている。なお、この例では、第１のレンズ群１２と第２のレンズ群１４が可動レンズ群であり、それらのレンズ群１２，１４を保持するレンズキャリア１２１,１４１には、それぞれリードスクリューＬＳ１、ＬＳ２に噛合する噛合部（不図示）とガイド軸Ｇ１１，Ｇ１２、Ｇ２１，Ｇ２２に係合するフォーク等１２１Ａ,１２１Ｂ，１４１Ａ,１４１Ｂがそれぞれ設けられている。
【０００９】
また本例の屈曲光学ユニット１０においては、薄型化に加えて第２の光軸方向（図２では高さ方向）の寸法の縮小化も図るためにどの程度のズーム倍率にするかを予め決めておいてそのズーム倍率を達成する可動レンズ群の移動範囲からボディの第２の光軸方向の寸法を定めその寸法内に可動レンズ群および駆動部を詰め込むようにして第２の光軸方向の寸法の縮小化を図ろうとしている。
【００１０】
このため図１に示す様に第２群レンズ１２を第２の光軸方向に沿って移動させるためのリードスクリューＬＳ１とモータＭ１とガイド軸Ｇ１とそのリードスクリューＬＳ１の端部を回転自在に受け止める軸受部Ｂ１とからなる第１のズーム駆動部ＺＭ１と、第４レンズ群１４を第２の光軸に沿って移動させるためのリードスクリューＬＭ２とモータＭ２とガイド軸Ｇ２とそのリードスクリューの端部を回転自在に受け止める軸受部Ｂ２とからなる第２のズーム駆動部ＺＭ２とが組立用のスペースＳＰを挟んで高密度に実装されている。この高密度に実装された屈曲光学ユニット１０が携帯電話機などの小型かつスリムなボディ内に組み込まれることになる。
【００１１】
しかし今後はデジタルカメラやカメラ付き携帯電話機等の更なる小型化やスリム化が進むことが予想されていて第２の光軸方向（図2では高さ方向）の更なる縮小化に加えてその第２の光軸方向に直交する方向（図２では幅方向）の縮小化も行なってより一層の小型化を図ることが必要になってくる。
【００１２】
しかしながら、例えば特許文献２の技術を用いてモータをプリズムの斜面側に配置することによって第２の光軸方向（図２では高さ方向）並びに第２の光軸方向に直交する方向（図２では幅方向）の更なる縮小化を図ろうしても図1，図２の例ではモータが２つあるため、あまり顕著な効果が得られない。
【特許文献１】特開２００５−３７４９０号公報
【特許文献２】特開２００３−１０７３１０号公報
【発明の開示】
【発明が解決しようとする課題】
【００１３】
本発明は、上記事情に鑑み、図１、図２に示す構成に若干の変更を加えるだけでより一層の縮小化が図られる屈曲光学ユニットを提供することを目的とする。
【課題を解決するための手段】
【００１４】
上記目的を達成する本発明の屈曲光学ユニットは、前方に向かう第１の光軸に沿って入射してきた被写体光を該第１の光軸と交わる第２の光軸に沿う方向に反射する反射光学素子を含む複数のレンズ群を備え、その第２の光軸に沿って進んできた被写体光を所定の結像面上に結像させる屈曲光学ユニットにおいて、
上記第２の光軸に平行に延び、回転により、上記反射光学素子よりも上記結像面側に配備された複数のレンズ群のうちの第１のレンズ群および第２のレンズ群をその第２の光軸方向にそれぞれ移動させる第１の駆動軸および第２の駆動軸と、
上記反射光学素子の背後に配備された、上記第１の駆動軸および上記第２の駆動軸をそれぞれ回転駆動する、上記第２の光軸方向の寸法が互いに異なる第１のモータおよび第２のモータとを備えたことを特徴とする。
【００１５】
上記本発明の屈曲光学ユニットによれば、上記第１の駆動軸および上記第２の駆動軸が上記第２の光軸に沿って配設され、それぞれの駆動軸を回転駆動する上記第１のモータおよび上記第２のモータが、上記反射光学素子例えばプリズムの背後に並べて配設される。
【００１６】
そうすると各駆動軸を駆動するモータの配置を上記反射光学素子例えばプリズムの背面側にある空きスペースに変更することができるようになるため、第２の光軸方向の寸法のさらなる縮小化が可能となる。また、第１の駆動軸と第２の駆動軸との配置を変え、さらにモータの配置を変えるだけで済むため、部品点数が増えることもなく低廉な屈曲光学ユニットになる。
【００１７】
以上説明した様に、図１、図２に示す構成に若干の変更を加えるだけでより一層の小型化が図られる屈曲光学ユニットが実現する。
【００１８】
上記反射光学素子の背面に、上記第２の光軸に対し斜めを向いた斜面で区画されたスペースを有し、
上記第１のモータと上記第２のモータのうちの上記第２の光軸方向の寸法が大きい方のモータが、上記スペースの、上記第２の光軸方向の寸法が広い側に配置されていることが好ましい。上記反射光学素子が例えばプリズムであると、上記第２の光軸に対し斜めを向いた斜面で区画されたスペースが生じる。周知の通り、モータは体積が同じであれば、同じパワーを持つことが知られているので、上記の様に上記第１のモータと上記第２のモータのうちの上記第２の光軸方向の寸法が大きい方のモータを上記スペースの、上記第２の光軸方向の寸法が広い側に配置する様にすると、上記斜面で区画されたスペースが余すところなく活用され高密度に２つのモータが実装されるようになる。
【発明の効果】
【００１９】
以上、説明したように、図１、図２に示す構成に若干の変更を加えるだけでより一層の縮小化が図られる屈曲光学ユニットが実現する。
【発明を実施するための最良の形態】
【００２０】
以下、本発明の実施の形態について説明する。
【００２１】
図３は、本発明の一実施形態である屈曲光学ユニットを斜め上方から見た斜視図である。
【００２２】
図３には、屈曲光学ユニット１を斜め上方から見た斜視図が示されている。
【００２３】
図３には、図１と同様、ズームレンズである屈曲光学系が配備された屈曲光学ユニットが示されている。この例では、第２の光軸方向（図２では高さ方向）の縮小化並びに第２の光軸に直交する方向（図２では幅方向）の縮小化を達成することができる構成を提案している。
【００２４】
本実施形態においては、反射光学素子であるプリズム１１１の背面が、第２の光軸に対し斜めを向いた斜面で区画されたスペースを有するものであることを利用してプリズム１１１の背後に第１の駆動軸１００および第２の駆動軸１０１をそれぞれ回転駆動する第１のモータＭ３および第２のモータＭ４とを並べて高密度に実装することができるようにして第２の光軸方向の縮小化並びに第２の光軸方向に直交する方向の縮小化の双方を達成しようとしている。
【００２５】
このため図１、図２に示す構成のうちの第２のレンズ群１４を駆動する駆動軸であるリードスクリューＬＳ３と第２のレンズ群１２を光軸方向に案内するガイド軸Ｇ３とを一体的に成形して一本の軸１００にするとともに、図１、図２に示す構成のうちの第１のレンズ群１２を駆動する駆動軸であるリードスクリューＬＳ４と第１のレンズ群１４を光軸方向に案内するガイド軸Ｇ４とを一体的に成形して一本の軸にすることによって、２つのモータＭ３、Ｍ４をそれらの軸１００，１０１の一方の端部に並べて配設することができる様に改良している。なお図３に示す例では、リードスクリューＬＳ３、ＬＳ４に雄ネジが形成されガイドＧ３、Ｇ４に滑面が形成された例が示されている。
【００２６】
この様に改良すると、第２のレンズ群１４を第２の光軸方向に沿って移動させるための駆動軸であるリードスクリューＬＳ３と第１のレンズ群１４を第２の光軸方向に案内するためのガイド軸Ｇ３とが一体的に形成された第１の軸１００と、第１のレンズ群１２を第２の光軸方向に沿って移動させるための駆動軸であるリードスクリューＬＳ４と第２のレンズ群１４を第２の光軸方向に案内するためのガイド軸Ｇ４とが一体的に形成された第２の軸１０１とが第２の光軸に沿って整然と配設される様になって、それらの軸１００，１０１それぞれを回転させるための２つのモータＭ３、Ｍ４が反射光学素子であるプリズム１１１の斜面で区画された空きスペースに並べて高密度に実装される様になる。
【００２７】
さらに、いままであれば第２レンズ群側の駆動軸およびガイド軸と第４レンズ群側の駆動軸およびガイド軸がそれぞれ個別に設けられていたため、組立用のスペースＳＰ（図１参照）を中央に設けなければならなかったが、上記第１の軸１００と上記第２の軸１０１とを端から端に渡す様に配設することによってそのスペースＳＰを不要にして更なる第２の光軸方向の寸法の縮小化を図ることができるようにもしている。
【００２８】
こうして薄型化に加えて、第２の光軸方向（図２では高さ方向）、第２の光軸方向に直交する方向（図２では幅方向）の寸法の縮小化を行なうと携帯電話機のような小型かつスリムなボディの中にもすっぽりと組み込まれる屈曲光学ユニットになる。
【００２９】
以上、説明したように、図１、図２に示す構成に若干の変更を加えるだけでより一層の縮小化が図られる屈曲光学ユニットが実現する。
【図面の簡単な説明】
【００３０】
【図１】屈曲光学系を備えた屈曲光学ユニットの一例を示す図である。
【図２】本発明の一実施形態である屈曲光学ユニットの外観を示す図である。
【図３】第２の実施形態を示す図である。
【符号の説明】
【００３１】
１  １０    屈曲光学ユニット
１１    固定レンズ群
１１０    対物レンズ
１１１    プリズム
１１２  レンズ
１２    第１のレンズ群（可動レンズ群）
１３    固定レンズ群
１４    第２のレンズ群（可動レンズ群）
１５      固定レンズ
１００    第１の軸
１０１    第２の軸
Ｍ１〜Ｍ４    モータ
ＬＳ１〜ＬＳ４    リードスクリュー
Ｇ１１  Ｇ１２  Ｇ２１  Ｇ２２    ガイド軸
Ｇ３  Ｇ４    ガイド軸
ＺＭ１  ＺＭ２    駆動部
ＯＰ１    第１の光軸
ＯＰ２    第２の光軸
【図１】
2007256601.tif 000003
【図２】
2007256601.tif 000004
【図３】
2007256601.tif 000005